(57)【特許請求の範囲】
【請求項１】
地域内の交通機関の運行に関する情報を収集し、前記交通機関の運行状況に応じた利用エネルギー単位量を算出する第１の算出手段と、
公共施設又は商業施設の利用状況に応じた利用エネルギー単位量を算出する第２の算出手段と、
人のいる場所の利用エネルギー単位量を算出する第３の算出手段と、
前記第１の算出手段、前記第２の算出手段及び前記第３の算出手段それぞれによる算出結果と、前記地域のエネルギー利用状況とに基づいて、前記交通機関、前記公共施設又は前記商業施設を利用する人について行動を行ったほうが省エネに繋がる条件を抽出し、効果の大きい条件に係る情報を前記人に提供する提供手段と、
前記提供手段により情報を提供された前記人の行動に係る情報を取得する取得手段と、
前記取得手段により取得された情報に基づいて、前記人が行動した後の地域全体におけるエネルギー利用量を算出する第４の算出手段とを具備することを特徴とする地域エネルギー管理システム。
【請求項２】
前記提供手段は、天気予報、施設の営業計画の少なくとも１つに基づいて、省エネに繋がる条件が発生することを事前に予測する予測手段をさらに備え、前記提供手段は、前記予測手段により予測された条件に合う人に、事前に情報を提供することを特徴とする請求項１記載の地域エネルギー管理システム。
【請求項３】
前記人に省エネ行動を促すために前記情報を提供する際に、公共機関や商業施設の利用や、それらへ移動する少なくとも交通機関の利用に対する少なくとも割引の特典を提供する手段をさらに備えることを特徴とする請求項１記載の地域エネルギー管理システム。
【請求項４】
前記第４の算出手段は、前記取得手段により得られる少なくともスマートフォンの位置情報、前記スマートフォンの加速度センサーまたは角加速度センサーにより検出される人々の行動情報、少なくとも施設による計測結果、交通機関の利用実績に基づいて、行動した後の地域全体におけるエネルギー利用量を算出することを特徴とする請求項１記載の地域エネルギー管理システム。
【請求項５】
前記第４の算出手段は、省エネ行動を行ったかの検証結果に基づいて、特典を提供する手段を備えることを特徴とする請求項４記載の地域エネルギー管理システム。
【請求項６】
公共施設と商業施設とのいずれか一方、および交通機関と通信可能なサーバにより地域内のエネルギーを管理する地域エネルギー管理方法であって、
前記サーバが、前記地域の交通機関の運行に関する情報を収集し、前記交通機関の運行状況に応じた利用エネルギー単位量を算出し、
前記サーバが、少なくとも前記公共施設又は前記商業施設の利用状況に応じた利用エネルギー単位量を算出し、
前記サーバが、人のいる場所の利用エネルギー単位量を算出し、
前記サーバが、各利用エネルギー単位量と、前記地域のエネルギー利用状況とに基づいて、前記交通機関、公共施設又は商業施設を利用する人について行動を行ったほうが省エネに繋がる条件を抽出し、
前記サーバが、効果の大きい条件に係る情報を前記人に提供し、
前記サーバが、前記情報を提供された前記人の行動を示す情報を取得し、
前記サーバが、前記人の行動を示す情報に基づいて、前記人が行動した後の地域全体におけるエネルギー利用量を算出することを特徴とする地域エネルギー管理方法。
【請求項７】
請求項６に記載の方法をコンピュータに実行させるためのプログラム。
【請求項８】
公共施設と商業施設とのいずれか一方、および交通機関と通信可能なサーバであって、
地域内の前記交通機関の運行に関する情報を収集し、前記交通機関の運行状況に応じた利用エネルギー単位量を算出する第１の算出手段と、
前記公共施設又は前記商業施設の利用状況に応じた利用エネルギー単位量を算出する第２の算出手段と、
人のいる場所の利用エネルギー単位量を算出する第３の算出手段と、
前記第１の算出手段、前記第２の算出手段及び前記第３の算出手段それぞれによる算出結果と、前記地域のエネルギー利用状況とに基づいて、前記交通機関、前記公共施設又は前記商業施設を利用する人について行動を行ったほうが省エネに繋がる条件を抽出し、効果の大きい条件に係る情報を前記人に提供する提供手段と、
前記提供手段により情報を提供された前記人の行動を示す情報を取得する取得手段と、
前記取得手段により取得された情報に基づいて、前記人が行動した後の地域全体におけるエネルギー利用量を算出する第４の算出手段とを具備することを特徴とするサーバ。
【発明の詳細な説明】
【技術分野】
【０００１】
本発明の実施形態は、需要家側におけるエネルギー収支を管理する地域エネルギー管理システム、地域エネルギー管理方法、プログラムおよびサーバに関する。
【背景技術】
【０００２】
近年の環境保全意識の高まりと電力不足への不安を背景として、ゼロエネルギー住宅（Zero Energy Home：ＺＥＨ）、あるいはネット・ゼロエネルギー住宅に注目が集まっている。ネット・ゼロエネルギー住宅は、年間の一次エネルギー消費量がネット（正味）で概ねゼロとなる住宅を意味する。これらを実現するために不可欠なのが、太陽光発電（Photovoltaic Power Generation：ＰＶ）システム、蓄電池、あるいは燃料電池（Fuel Cell：ＦＣ）などの分散電源と、家庭エネルギー管理システム（Home Energy Management System：ＨＥＭＳ）である。
【先行技術文献】
【特許文献】
【０００３】
【特許文献１】特開２００６−２７７２７４号公報
【特許文献２】特開２００６−２８５３４３号公報
【発明の概要】
【発明が解決しようとする課題】
【０００４】
上述のとおり、従来は、家庭等の個々の施設単位で省エネを実現する技術があった。また、エネルギー消費に繋がる人々の行動を一方的に制限することで省エネを実現するものであった。このことから、近年、エネルギー管理を地域として行い、この地域における人々の行動を地域省エネという観点で適切なものとすることが考えられているが、まだ検討段階で未だに実現されていなかった。
【０００５】
本発明の目的は、地域全体の省エネに向け、地域における人々に対し負担を抑えつつ行動を促す地域エネルギー管理システム、地域エネルギー管理方法、プログラムおよびサーバを提供することにある。
【課題を解決するための手段】
【０００６】
実施形態によれば、地域エネルギー管理システムは、第１の算出手段と、第２の算出手段と、第３の算出手段と、提供手段と、取得手段と、第４の算出手段とを備える。第１の算出手段は、少なくとも地域内に存在する交通機関の情報を収集し、運行状況に応じた利用エネルギー単位量を算出する。第２の算出手段は、少なくとも公共施設、商業施設の利用状況に応じた利用エネルギー単位量を算出する。第３の算出手段は、人のいる場所の利用エネルギー単位量を算出する。提供手段は、第１の算出手段、第２の算出手段及び第３の算出手段それぞれによる算出結果に基づいて、条件にあった特定の人々の行動を促す情報を提供する。取得手段は、提供手段により情報を提供した人々の行動を示す情報を取得する。第４の算出手段は、取得手段により取得された情報に基づいて、行動した後の地域全体におけるエネルギー利用量を算出する。
【図面の簡単な説明】
【０００７】
【図１】第１の実施形態に係る地域エネルギー管理システムが適用される概略構成図。
【図２】第１の実施形態に係る地域エネルギー管理システムの機能構成を示すブロック
【図３】第１の実施形態における地域エネルギー管理システムの処理手順と処理内容を示すフローチャート。
【図４】第１の実施形態において、提供される省エネ情報のイメージを示す図。
【図５】第２の実施形態に係る地域エネルギー管理システムの一例を示す概略構成図。
【発明を実施するための形態】
【０００８】
以下、本実施形態について図面を参照して詳細に説明する。
【０００９】
（第１の実施形態）  
図１は、第１の実施形態に係る地域エネルギー管理システムが適用される概略構成図である。
【００１０】
図１において、地域エネルギー管理システム１００は、鉄道管理システム２００、ＥＶ管理システム３００等の交通機関からの情報と、ショッピングモール等の商業施設４００、公共施設などの集客施設からの情報、気象予測システム５００からの情報、HEMS６００等の居住施設からの情報、スマートフォン７００等の個人の行動を特定する情報を収集する。
【００１１】
地域エネルギー管理システム１００は、これらの情報を元に、地域全体で、より省エネ、ＣＯ２削減に繋がる行動を抽出、スマートフォン７００などを通じて、条件に合う人に情報を提供し、行動してもらうことで省エネを実現する。また、商業施設４００等は行動を促すクーポン等を提供することでより積極的な行動を促すと共に、経済活動の活性化を実現する。
【００１２】
さらに、地域エネルギー管理システム１００は、スマートフォン７００の位置情報から１日のエネルギー単位量を抽出する。例えば、スマートフォン７００の位置情報を元に、家に在宅中の消費電力と不在のときの消費電力を識別し、家に在宅することで増える利用エネルギー単位量を算出する。これにより、ユーザが普段通り生活するだけで、家に在宅、不在のエネルギー差を計測できる。さらに、家族で生活している場合に、一家で複数のスマートフォンを利用していれば、誰か在宅中のときにどの程度エネルギーを消費するか、複数人数の場合に、一人あたりのエネルギー単位量が下がるといったことを計測できる。
【００１３】
図２は、地域エネルギー管理システム１００の機能構成を示すブロック図である。  
地域エネルギー管理システム１００は、気象予測システム５００、鉄道管理システム２００、ＥＶ管理システム３００、ＨＥＭＳ６００、公共施設、商業施設４００、スマートフォン７００等から情報を収集する。これら情報収集対象は、鉄道やＥＶ以外にも人々の移動手段の全ての情報、人々が出かける先としての全ての施設、目的地が考えられる。また、個人の情報収集手段としてもスマートフォン７００以外の手段、情報提供手段としては個人の端末以外にも特定の条件を満たす人に情報提供できる特定場所の電子掲示板などが考えられる。
【００１４】
地域エネルギー管理システム１００は、次の機能モジュールで構成される。上記に挙げた対象から情報を収集するデータ収集部１１０、収集したデータを保存するデータ蓄積部１２０、蓄積したデータを分析し、スマートフォン７００から収集する位置情報に加えて、加速度センサー、角加速度センサーなどにより検出され、歩いている、電車に乗っている等の行動情報に基づいて、省エネになる行動条件の組み合わせを発見、抽出するデータ分析部１３０、天気予報等から抽出した条件が発生することを予測する条件発生予測部１４０、条件にあった人に情報を提供する情報提供部１５０、より効果的に行動を促すための特典を商業施設４００等から取得し、提供する特典管理部１６０、実際に提供した情報どおり行動したかを検証する実績検証部１７０から構成される。
【００１５】
また、データ収集部１１０は、上記情報提供部１５０により情報を提供した人々の行動を示す情報を取得する取得部１１１を備える。
【００１６】
また、データ分析部１３０は、交通機関等の運行状況に応じた利用エネルギー単位量を算出する第１の算出部１３１と、公共施設、商業施設４００の利用状況に応じた利用エネルギー単位量を算出する第２の算出部１３２と、人のいる場所の利用エネルギー単位量を算出する第３の算出部１３３とを備える。
【００１７】
次に、以上のように構成されたシステムにおける地域エネルギー管理方法を説明する。図３は、地域エネルギー管理システム１００の処理手順と処理内容を示すフローチャートである。
【００１８】
まず、データ収集部１１０は、スマートフォン７００から収集する位置情報に基づいて、各周辺システムからのエネルギー利用データ、行動データ、および気象情報を収集し、収集したデータをデータ蓄積部１２０に蓄積する（ステップＳＴ４ａ）。次に、データ分析部１３０は、スマートフォン７００から収集する位置情報に基づいて、データ蓄積部１２０に蓄積したデータを分析し、行動ごとの単位エネルギー、つまり何ｗ使うかを算出する（ステップＳＴ４ｂ）。また、データ分析部１３０は、単位エネルギーが気象条件との相関がある場合は、その相関も含めて、算出する。
【００１９】
次に、条件発生予測部１４０は、気象条件も含めた特定条件化で省エネに繋がる行動を発見、抽出する（ステップＳＴ４ｃ）。具体的には、家でエアコンを使って過ごすより映画館で過ごしたほうが地域全体でのエネルギー消費が少ないとか、何時ごろ出かけると渋滞を回避できるとか、公共交通機関を組み合わせたほうが省エネでかつ早く着く等である。
【００２０】
次に、条件発生予測部１４０は、天気予報や施設の営業予定等から抽出した特定条件が起きる日時や該当者を予測する（ステップＳＴ４ｄ）。なお、特定条件としては、家から出た時の行動を条件としている。そして、情報提供部１５０は、これらの情報を市民へ提供することで、省エネ行動を促す（ステップＳＴ４ｅ）。これらの条件はテナントや交通機関にも提供し、対象者へ提供するクーポンや割引等の特典提供を募集する（ステップＳＴ４ｅ）。
【００２１】
特典管理部１６０は、市民へそれらの特典を提供することで、より積極的な省エネ行動を促す（ステップＳＴ４ｆ）。市民はこれらの提供情報に沿って省エネ行動を行う（ステップＳＴ４ｇ）。また、特典管理部１６０は、例えば、省エネ行動を行った人の中から抽選で１０％の人に特典を提供等、特典の提供を確率的に行うことにより、同じ原資で人々の行動をより促す。
【００２２】
実績検証部１７０は、施設利用や交通機関利用、クーポン等の利用実績、スマートフォン７００による行動計測により、提供情報に沿った行動を取ったかどうかを計測する（ステップＳＴ４ｈ）。そして、実績検証部１７０は、これらの情報と施設、交通機関、ＨＥＭＳ６００によるエネルギー利用実績により、地域全体のエネルギー消費削減に繋がったかどうかを検証する（ステップＳＴ４ｉ）。
【００２３】
情報提供部１５０は、上記検証結果を市民へ知らせると共に、実績に応じたエコポイントの付与といった特典の提供を行う（ステップＳＴ４ｊ）。また、検証のために行動データ等をスマートフォン７００等から提供してもらうことで、次のデータ分析に利用することができ、より正確な省エネ行動の提供を行うことができる（ステップＳＴ４ｋ）。この場合、スマートフォン７００に搭載されているアプリまたはＧＰＳを利用して、スマートフォン７００の位置や振動の情報を収集する。
【００２４】
図４は、提供される省エネ情報のイメージを示す。  
昼間気温が上昇し、個々の世帯のエアコンによるエネルギー消費の上昇が予想されるときには、スマートフォン７００Ａを所持する利用者ＵＡに対して電車ＴＲを含む公共交通機関を使ってショッピングモールＳＭＲのレストランを利用するように促したり、EV所有者ＵＢには早めに時間に出かけてショッピングモールＳＭＲの映画館で過ごすことを促すクーポンを発行する。
【００２５】
また、居住場所にあわせて、スマートフォン７００Ｃを所持する利用者ＵＣに対して近所のスーパーＳＰへの買い物を勧める。全ての人に同じ情報を提供するのではなく、省エネ条件に合致する人にだけ情報を提供する。
【００２６】
以上のように第１の実施形態では、データ収集部１１０にて地域内に存在する鉄道管理システム２００から交通機関の情報を収集し、スマートフォン７００から収集する位置情報に基づいて、運行状況に応じた利用エネルギー単位量を算出することが可能となり、さらに、スマートフォン７００から収集する位置情報に基づいて、公共施設、商業施設４００の利用状況に応じた利用エネルギー単位量を算出し、スマートフォン７００から収集する位置情報に基づいて、ＨＥＭＳ６００といった人のいる場所の利用エネルギー単位量を算出することが可能となる。
【００２７】
これにより複数の施設や世帯のエネルギー利用状況を監視し、条件発生予測部１４０にて気温など特定条件にて、人々の特定の経済活動を行うことが地域全体の省エネに繋がることを予測し、情報提供部１５０にてこれらを促す情報を人々に提供することで、人々の行動を誘導し、経済活動の活性化と地域全体のエネルギー利用量の低減を両立できる。
【００２８】
すなわち、地域全体でみると、各住民が個々の家でエアコンを利用するより、外出して、ショッピングモールで過ごす方が省エネになるという条件が存在するため、従来のように個々の施設で省エネを実現するというように、快適性や、経済活動を抑制することなく省エネが可能となる。
【００２９】
また、上記第１の実施形態によれば、複数の施設・世帯のエネルギー利用状況を監視し、環境条件と組み合わせて分析することで、省エネルギーに繋がる条件を抽出できる。
【００３０】
また、上記第１の実施形態によれば、気象予測システム５００から収集する天気予報などに基づいて、条件を満たす事象が起きることを予測し、人々の経済活動を誘導するような情報を提供できる。
【００３１】
また、上記第１の実施形態によれば、省エネルギーを促す情報とともに、公共機関や商業施設の利用や、それらへ移動する少なくとも交通機関の利用に対する割引の特典を提供することにより、地域内の人々に対し省エネルギーに対する意欲のさらなる増進が期待できる。
【００３２】
また、上記第１の実施形態によれば、ＨＥＭＳ６００等のエネルギー計測設備や、スマートフォン７００等による個人の移動履歴に基づいて、実際に誘導した行動を取ったかどうかを検証できる。
【００３３】
さらに、上記第１の実施形態によれば、実際に省エネに繋がったか否かを検証できるため、実績に基づき協力に対する特典を提供することができ、これにより条件に合った人々は省エネ行動に応じた特典を受け取ることができ、省エネ行動に対する意欲のさらなる増進が期待できる。一方、情報の提供側にとっては、効果のあるところに正確に特典を付すことで、より人々の行動を効果的に促すことができる。
【００３４】
なお、上記第１の実施形態では、利用エネルギー単位量を算出しているが、同様にＣＯ2排出量単位量としても算出できる。従って、ＣＯ2削減への最適化も行える。
【００３５】
（第２の実施形態）  
第２の実施形態は、クラウド上のサーバを利用するようにしたものである。
【００３６】
図５は、第２の実施形態に係る地域エネルギー管理システムの一例を示す図である。
【００３７】
クライアントシステムは、クライアント装置としてのホームゲートウェイ（Home Gateway：ＨＧＷ）７を備える。ホームゲートウェイ７はホーム８００に設置される通信装置であり、クラウド９００から各種のサービスの提供を受けることができる。
【００３８】
クラウド９００は、サーバコンピュータＳＶとデータベースＤＢとを備える。サーバコンピュータＳＶは単体でも複数でも良い。データベースＤＢは一つのサーバコンピュータＳＶに備えられていても、複数のサーバコンピュータＳＶに分散配置されていてもよい。
【００３９】
図５において、電力グリッド６から供給される電力（交流電圧）は、電柱の変圧器６１などを経て各家庭に分配され、電力量計（スマートメータ）１９を経てホーム８００の分電盤２０に供給される。電力量計１９は、ホーム８００に備わるエネルギー生産機器の発電量、ホーム８００の消費電力量、電力グリッド６から流れ込む電力量、あるいは電力グリッド６に逆潮流する電力量などを計測する機能を備える。周知のように、再生可能エネルギーに基づいて発電された電力は、電力グリッド６に逆潮流することを許される。
【００４０】
分電盤２０は、この分電盤２０に接続される電気機器（照明、エアコンなど）５やパワーコンディショニングシステム（ＰＣＳ）８０４に配電線２１を介して電力を供給する。また分電盤２０は、フィーダごとの電力量を計測する計測装置を備える。
【００４１】
電気機器５はホーム８００内の配電線２１に接続されることの可能な機器である。電気機器５はコンセント（図示せず）を介して配電線２１に着脱可能に接続され、配電線２１を介して分電盤２０に接続される。電気機器５により電力が消費される。
【００４２】
ホーム８００の屋根や外壁にはＰＶユニット８０１が設置される。ＰＶユニット８０１は、再生可能エネルギーから電気機器５を稼動させるためのエネルギーを生産する創エネルギー機器であり、風力発電システムなどもその範疇に入る。ＦＣユニット８０３は、非再生可能エネルギー源である都市ガスやＬＰガス（液化プロパンガス）から電力を生産する発電ユニットである。ＦＣユニット８０３により生成された電力は電力グリッド６に逆潮流することを禁止されているので、余剰電力を生じることがある。余剰電力は蓄電池８０２に充電されることが可能である。
【００４３】
ＰＣＳ８０４はインバータ（図示せず）を備え、ＰＶユニット８０１、蓄電池８０２あるいはＦＣユニット８０３から供給される直流電力を交流電力に変換して配電線２１に供給する。これにより、電気機器はＰＣＳ８０４を介して、蓄電池８０２やＦＣユニット８０３からも電力の供給を受けることができる。また、ＰＣＳ８０４はコンバータ（図示せず）を備え、配電線２１からの交流電力を直流電力に変換して蓄電池８０２に供給する。
【００４４】
要するにＰＣＳ８０４は、蓄電池８０２、ＦＣユニット８０３と配電線２１との間でエネルギーを授受するための電力変換器としての機能を備える。ＰＣＳ８０４は蓄電池８０２やＦＣユニット８０３を安定に制御する機能も備える。なおＰＣＳ８０４は、ＰＶユニット８０１、蓄電池８０２およびＦＣユニット８０３のそれぞれに、個別に設けられても良い。
【００４５】
さらに、ホーム８００の屋根には太陽熱温水器８０６が設置される。太陽熱温水器８０６は、再生可能エネルギーである太陽熱を熱源として温水を生成する、創エネルギー機器である。生成された温水はホーム８００の給湯配管（図示せず）に供給される。ホーム８００のエネルギー収支を最適化するために、太陽熱温水器８０６により得られた熱エネルギーを利用することが可能である。
【００４６】
ホーム８００には無線ＬＡＮ（Local Area Network）などのホームネットワーク２５が形成される。ホームゲートウェイ７はホームネットワーク２５とＩＰネットワーク１０００との双方に、コネクタ（図示せず）などを介して着脱可能に接続される。これによりホームゲートウェイ７は、ホームネットワーク２５に接続される電力量計１９、分電盤２０、ＰＣＳ８０４、および電気機器５と相互に通信可能である。なおホームネットワーク２５は無線、あるいは有線のいずれでも良い。
【００４７】
ホームゲートウェイ７は、実施形態に係る処理機能として通信部７ａを備える。通信部７ａは、クラウド９００に各種のデータを送信し、またクラウド９００から各種のデータを受信する、ネットワークインタフェースである。
【００４８】
ホームゲートウェイ７はCentral Processing Unit（ＣＰＵ）とメモリ（図示せず）を備えるコンピュータである。メモリは、このコンピュータを制御するプログラムを記憶する。プログラムは、クラウド９００と通信したり、電気機器５や蓄電池１０２、ＦＣユニット８０３の運転スケジュールの計算をクラウド９００に要求したり、システムの制御に需要家の意思を反映させたりするための命令を含む。ＣＰＵが各種のプログラムに基づいて機能することで、ホームゲートウェイ７に係る諸機能が実現される。
【００４９】
すなわちホームゲートウェイ７は、クラウド９００に各種のデータを送信し、またクラウド９００から各種のデータを受信する。ホームゲートウェイ７は、クラウド９００、サーバコンピュータＳＶと通信可能なクライアント装置である。ホームゲートウェイ７から送信される各種データには、クラウド９００に各種の演算を要求するための要求信号が含まれる。
【００５０】
ＩＰネットワーク１０００は、いわゆるインターネット、あるいはシステムベンダのＶＰＮ（Virtual Private Network）などである。ホームゲートウェイ７は、ＩＰネットワーク１０００を経由してサーバコンピュータＳＶと通信したり、データベースＤＢとデータを授受したりできる。なおＩＰネットワーク１０００は、ホームゲートウェイ７とクラウド９００との間に双方向の通信環境を形成するための、無線または有線の通信インフラストラクチャを含んで良い。
【００５１】
クラウド９００は、データ収集部９００ａ、データ分析部９００ｂ、条件発生予測部９００ｃ、情報提供部９００ｄ、特典管理部９００ｅ、および実績検証部９００ｆを備える。また、蓄電池８０２、ＦＣユニット８０３および太陽熱温水器８０６の制御対象モデル９００ｇ、および各種のデータ９００ｈがクラウド９００のデータベースＤＢに記憶される。データ収集部９００ａ、データ分析部９００ｂ、条件発生予測部９００ｃ、情報提供部９００ｄ、特典管理部９００ｅ、および実績検証部９００ｆは、単体のサーバコンピュータＳＶ、あるいは、クラウド９００に分散配置される機能オブジェクトである。これらの機能オブジェクトを如何にしてシステムにインプリメントするかは、当業者によれば容易に理解されるであろう。
【００５２】
例えばデータ収集部９００ａ、データ分析部９００ｂ、条件発生予測部９００ｃ、情報提供部９００ｄ、特典管理部９００ｅ、および実績検証部９００ｆは、クラウド９００のサーバコンピュータＳＶにより実行されるプログラムとして実現される。このプログラムは単体のコンピュータにより実行されることもできるし、複数のコンピュータを備えるシステムにより実行されることも可能である。プログラムに記載される命令が実行されることで、実施形態に係わる諸機能が実現される。
【００５３】
以上のように上記第２の実施形態であっても、上記第１の実施形態と同様に、クラウド９００上のデータ収集部９００ａにて地域内に存在する鉄道管理システム２００から交通機関の情報を収集し、データ分析部９００ｂにより運行状況に応じた利用エネルギー単位量を算出することが可能となり、さらに公共施設、商業施設４００の利用状況に応じた利用エネルギー単位量を算出し、ＨＥＭＳ６００といった人のいる場所の利用エネルギー単位量を算出することが可能となり、これにより複数の施設や世帯のエネルギー利用状況を監視し、条件発生予測部９００ｃにて気温など特定条件にて、人々の特定の経済活動を行うことが地域全体の省エネに繋がることを予測し、情報提供部９００ｄにてこれらを促す情報を人々に提供することで、人々の行動を誘導し、経済活動の活性化と地域全体のエネルギー利用量の低減を両立できる。
【００５４】
（その他の実施形態）  
本発明のいくつかの実施形態を説明したが、これらの実施形態は例として提示するものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５５】
５…電気機器、６…電力グリッド、７…ホームゲートウェイ、７ａ…通信部、１９…電力量計、２０…分電盤、２１…配電線、２５…ホームネットワーク、６１…変圧器、１００…地域エネルギー管理システム、１０２…蓄電池、１１０…データ収集部、１１１…取得部、１２０…データ蓄積部、１３０…データ分析部、１３１…第１の算出部、１３２…第２の算出部、１３３…第３の算出部、１４０…条件発生予測部、１５０…情報提供部、１６０…特典管理部、１７０…実績検証部、２００…鉄道管理システム、３００…ＥＶ管理システム、４００…商業施設、５００…気象予測システム、７００, ７００Ａ, ７００Ｃ…スマートフォン、８００…ホーム、８０１…ＰＶユニット、８０２…蓄電池、８０３…ＦＣユニット、８０４…パワーコンディショニングシステム、８０６…太陽熱温水器、９００…クラウド、９００ａ…データ収集部、９００ｂ…データ分析部、９００ｃ…条件発生予測部、９００ｄ…情報提供部、９００ｅ…特典管理部、９００ｆ…実績検証部、９００ｇ…制御対象モデル、９００ｈ…データ、１０００…ＩＰネットワーク。
【図１】
0005855078.tif 000002
【図２】
0005855078.tif 000003
【図３】
0005855078.tif 000004
【図４】
0005855078.tif 000005
【図５】
0005855078.tif 000006